(57)【要約】      （修正有）【課題】坂道等の傾斜地を横断する形態で側溝を掘削してブロックを設置施工する際に側溝ブロック上面が傾斜地に面一状態で施工できるようにした傾斜地横断用の側溝ブロックを提供する。【解決手段】傾斜地横断用の側溝ブロック１は、傾斜地Ｇの側溝底部に設置したアンカーブロック３０に載置する側溝ブロック１において、一側壁３の外面にアンカーブロック３０に対して側溝ブロック１の一側壁３を持ち上げ調整するための昇降調整手段４を設けたことを特徴とする。【選択図】図３
0003192983.tif 000002
【実用新案登録請求の範囲】
【請求項１】
この考案は、傾斜地の側溝底部に設置したアンカーブロックに載置する側溝ブロックにおいて、一側壁の外面にアンカーブロックに対して側溝ブロックの一側壁を持ち上げ調整するための昇降調整手段を設けたことを特徴とする傾斜地横断用の側溝ブロック。
【請求項２】
また、前記昇降調整手段としては、前記側溝ブロックの前記一側壁外面に固定したブラケットと、前記ブラケットに上下位置調整自在に螺合した調整螺杆とよりなることを特徴とする請求項１に記載の傾斜地横断用の側溝ブロック。
【請求項３】
また、前記ブラケットは略Ｌ字状に形成し、Ｌ字の垂直片は前記側溝ブロックの前記一側壁外面に固定ネジを介して固定すると共に、Ｌ字の水平片には前記調整螺杆を螺合したことを特徴とする請求項２に記載の傾斜地横断用の側溝ブロック。
【請求項４】
また、前記側溝ブロックの前記一側壁には前記側溝ブロックのプレキャスト時に雌ネジボスを埋設し、前記ブラケット挿通した前記固定ネジを螺合自在としたことを特徴とする請求項３に記載の傾斜地横断用の側溝ブロック。
【請求項５】
また、前記ブラケットのＬ字の前記垂直片に設けた挿通孔は縦長孔を形成し前記縦長孔に前記固定ネジを挿通することにより前記ブラケットを前記側溝ブロックの前記一側壁に上下位置変位自在に固定することを特徴とする請求項３または４に記載の傾斜地横断用の側溝ブロック。
【考案の詳細な説明】
【技術分野】
【０００１】
この考案は、坂道等の傾斜地を横断する形態で側溝を掘削してブロックを設置施工する際に側溝ブロック上面が傾斜地に面一状態で施工できるようにした傾斜地横断用の側溝ブロックに関する。
【背景技術】
【０００２】
従来、坂道等の前後傾斜地を左右方向に横断する形態で側溝を形成施工する場合に、水平地と同様に側溝ブロックを水平に設置施工すると前後傾斜地の中途に左右方向へ帯状の側溝ブロックによる水平帯が形成されることになる。
【０００３】
この側溝ブロックによる水平帯は傾斜地に突出状となって段差を形成し、前後傾斜地を前後方向に走行する車輌の通行に支障となり、不要の振動要因を生起し、また、歩行者にとっては段差が躓きの原因となり危険でもある。
【０００４】
かかる不都合を解消するために特許文献１のように傾斜地に掘削した側溝中に上方開放の断面略コ字形状の側溝ブロックを埋設する際に予め側溝底部に傾斜地に沿った傾斜面を有するアンカーブロックを設置し、その上に側溝ブロックを載置して傾斜地と側溝ブロック上蓋のグレーチングが面一状態となるように構成した技術がある。
【０００５】
また、特許文献２のように側溝底部に設置するアンカーブロックを傾斜地に沿った形態で傾斜埋設し、その上に側溝ブロックを載置するように構成した技術がある。そしていずれの技術も傾斜状態を生成するアンカーブロックの傾斜端部には側溝ブロックのスライド防止の受け縁を突設している。
【０００６】
また、上方開放の断面Ｕ字形状の側溝ブロックを埋設する場合には、湾曲凹部を上面に形成したアンカーブロックを予め側溝穴に設置し、アンカーブロック上面の弯曲凹部に側溝ブロック下底面の湾曲面を載置した後に弯曲面に沿って側溝ブロックを揺動させて傾斜地と側溝ブロックの上面のグレーチング面とを面一状態に調整した後に側溝ブロック底部をアンカーブロックと一体に固定する技術が用いられている。
【先行技術文献】
【特許文献】
【０００７】
【特許文献１】特開２００６−０６３７７０号公報
【特許文献２】特開２０００−０８７４４０号公報
【考案の概要】
【考案が解決しようとする課題】
【０００８】
ところが、特許文献１や特許文献２の考案ではアンカーブロックを傾斜地に沿って形成するものであるため傾斜地の傾斜に沿ってアンカーブロックを側溝底部に設置する施工作業が複雑となり、特にアンカーブロックの下層には栗石を敷設しているため特に作業現場での傾斜調調整作業が煩雑となる欠点を有していた。
【０００９】
また、Ｕ字形状の側溝ブロックの下底部弯曲面を利用して揺動調整する技術にあっては、上記考案と同様に作業現場での揺動調整作業が煩雑であり、特に揺動調整した後の固定作業を行うためにプレキャスト時にＵ字側溝ブロックの弯曲底部にアンカーブロック固定構造を付設しておかねばならず、側溝ブロックの製造コスト上不利となり、固定作業も煩雑となるため作業進行上も不利となる欠点を有している。
【課題を解決するための手段】
【００１０】
以上のような目的を達成するために、本考案は以下のようなものを提供する。
【００１１】
この考案は、傾斜地の側溝底部に設置したアンカーブロックに載置する側溝ブロックにおいて、一側壁の外面にアンカーブロックに対して側溝ブロックの一側壁を持ち上げ調整するための昇降調整手段を設けたことを特徴とする。
【００１２】
また、前記昇降調整手段としては、前記側溝ブロックの前記一側壁外面に固定したブラケットと、前記ブラケットに上下位置調整自在に螺合した調整螺杆とよりなることにも特徴を有する。
【００１３】
また、前記ブラケットは略Ｌ字状に形成し、Ｌ字の垂直片は前記側溝ブロックの前記一側壁外面に固定ネジを介して固定すると共に、Ｌ字の水平片には前記調整螺杆を螺合したことにも特徴を有する。
【００１４】
また、前記側溝ブロックの前記一側壁には前記側溝ブロックのプレキャスト時に雌ネジボスを埋設し、前記ブラケット挿通した前記固定ネジを螺合自在としたことにも特徴を有する。
【００１５】
また、前記ブラケットのＬ字の前記垂直片に設けた挿通孔は縦長孔を形成し前記縦長孔に前記固定ネジを挿通することにより前記ブラケットを前記側溝ブロックの前記一側壁に上下位置変位自在に固定することにも特徴を有する。
【考案の効果】
【００１６】
請求項１，２，３の考案によれば、アンカーブロック上に載置する側溝ブロックの一側壁に昇降調整手段を設け、略Ｌ字状のブラケットに調整螺杆を螺合してアンカーブロック上で調整螺杆を上下昇降させて側溝ブロックの一側壁を一定高さ持上げ側溝ブロックの姿勢を傾斜状態とし、地上の傾斜地と面一状態となるように構成したので、現場での側溝ブロックの設置作業時に調整螺杆の簡単な操作により側溝ブロックの傾斜調整が行えることになり作業効率を格段に向上することができると共に、単に調整螺杆をブラケットを介して側溝ブロックの一側壁に設けるのみの簡単な構造であるため製造も容易であり価格的にも有利となる効果がある。
【００１７】
請求項４の考案によれば、側溝ブロックの一側壁に雌ネジボスをプレキャスト時に埋設するのみで、その後に略Ｌ字状のブラケットを固定ネジで取付けることができるため、作業現場で昇降調整手段の組み立てが可能となり、昇降調整手段の強度も充分に保持することができる効果がある。
【００１８】
請求項５の考案によれば、ブラケットに固定ネジを挿通するための縦長孔を形成したので、側溝ブロックの一側壁に取り付けるブラケットの上下位置を縦長孔を介して変位することができるために、作業現場によって側溝ブロックを平坦地に用いる場合には略Ｌ字状のブラケットの上下位置を調整しながらＬ字の水平片を栗石上に水平に設置してブラケットを介して側溝ブロックを下層の栗石、或いはアンカーブロック上に安定して設置することができる効果がある。
【００１９】
また、現場での側溝ブロックの設置作業時に縦長孔を用いてブラケットの取付位置を簡単な操作により調整できるので、作業効率を格段に向上することができると共に、ブラケット自体が簡単な構造であるため製造も容易であり価格的にも有利となる効果がある。
【図面の簡単な説明】
【００２０】
【図１】本考案の傾斜地横断用の側溝ブロックの斜視図
【図２】同要部の分解説明図
【図３】本考案の側溝ブロックの設置状態説明図
【図４】本考案の側溝ブロックの設置状態説明図
【図５】本考案のスタビライザ機能の説明図
【図６】他の実施形態の要部の説明図
【図７】他の実施形態の設置状態説明図
【図８】従来の施工状態の説明図
【考案を実施するための形態】
【００２１】
この考案は、傾斜地の側溝底部に設置したアンカーブロックに載置する側溝ブロックにおいて、一側壁の外面にアンカーブロックに対して側溝ブロックの一側壁を持ち上げ調整するための昇降調整手段を設けたことを特徴とする。
【００２２】
また、昇降調整手段としては、側溝ブロックの一側壁外面に固定したブラケットと、ブラケットに上下位置調整自在に螺合した調整螺杆とよりなることにも特徴を有する。
【００２３】
また、ブラケットは略Ｌ字状に形成し、Ｌ字の垂直片は側溝ブロックの一側壁外面に固定ネジを介して固定すると共に、Ｌ字の水平片には調整螺杆を螺合したことにも特徴を有する。
【００２４】
また、側溝ブロックの一側壁には側溝ブロックのプレキャスト時に雌ネジボスを埋設し、ブラケット挿通した固定ネジを螺合自在としたことにも特徴を有する。
【００２５】
また、ブラケットのＬ字の垂直片に設けた挿通孔は縦長孔を形成し縦長孔に固定ネジを挿通することによりブラケットを側溝ブロックの一側壁に上下位置変位自在に固定することにも特徴を有する。
【００２６】
以下、本考案の実施形態について図面を参照しながら詳説するが、左右同一又は左右対称等の構造や部品については、原則として同一の符号を付し、左右何れか一方のみを説明して、他方については説明を適宜省略する。
【００２７】
図１は本考案側溝ブロックの斜視図を示し、図２は要部の分解説明図であり、図３は本考案側溝ブロックの設置状態を示す断面図を示す。
【００２８】
本考案の側溝ブロック１は、表面に舗装面Ｈを形成した前後傾斜地Ｇに左右横断する状態の帯状に掘削した側溝Ｄの底部に設置埋設するために用いられる。
【００２９】
すなわち、図８に示すように、傾斜地Ｇに形成した側溝Ｄ底部に通常の側溝ブロック１２０を水平に設置埋設する場合は、側溝ブロック１２０の上面のグレーチングｇは傾斜地Ｇに段差αを形成することになる。本考案の側溝ブロック１は傾斜地Ｇに沿って面一となるように、図３、図４に示すように側溝ブロック１を傾斜状態で側溝Ｄ底部に設置可能とした。
【００３０】
そのために側溝ブロック本体２の一側壁３外面に側溝ブロック本体２の一側を持ち上げ調整するための昇降調整手段４を設けた。
【００３１】
昇降調整手段４は、図１、図２に示すように、側溝ブロック本体２の一側壁３に埋設した雌ネジボス５と、該ボス５に螺合自在の固定ネジ６と、固定ネジ６を挿通する挿通孔８を設けた略Ｌ字状の金属製のブラケット７と略Ｌ字状のブラケット７の水平片９に螺合挿通した調整螺杆１０とより構成している。
【００３２】
雌ネジボス５は、側溝ブロック本体２のプレキャスト時に予め一側壁３中に埋設しておく。固定ネジ６はブラケット７の垂直片１１に形成した挿通孔１２を介して雌ネジボス５に螺入することによりブラケット７を側溝ブロック１の一側壁３に面接触で固定する。
【００３３】
調整螺杆１０は、所定の長さを有し下端が側溝ブロック１下方に重設したアンカーブロック３０上面に当接するように構成しており、必要に応じて図５に示すように、下端にスタビライザ機能として傾動可能な接地プレート１３を螺着している。
【００３４】
図中１４は、接地プレート１３の上面に立設する軸柱１９に形成された内軸孔２０に枢支軸１６を介して枢着した連結基体であり、上部は調整螺杆１０の下端と螺合可能な螺筒１５としている。また、連結基体１４の下部には内軸孔２０と連通する外軸孔２１を穿設し、枢支軸１６を圧入可能としている。
【００３５】
図３に示すように、アンカーブロック３０は、側溝Ｄの内底部に敷設し、その上側面に側溝ブロック１を設置可能に構成しており、例えば断面上方開放のコ字状に形成し、左右縁部の立上り壁部３１,３２間に側溝ブロック１下部を配置するように構成している。左右の立上り壁部３１,３２は側溝ブロック１をアンカーブロック３０の上側面に傾斜して配置した場合に側溝ブロック１が不用意にスライドしないようにストッパとして機能すると共に、側溝ブロック１を載置した後にセメント３３をアンカーブロック３０と側溝ブロック１との間に流入する際の流出防止機能を有している。
【００３６】
なお、アンカーブロック３０の形状は本実施形態に限定されるものではなく、例えば、Ｌ字状や単なる板状等、側溝ブロック１を載置できれば本発明の要旨の範囲内において如何なる変更・改良等が可能であることは言うまでもない。
【００３７】
本考案の傾斜地横断用の側溝ブロック１の構成は上記のように構成されており、該ブロック１の施工について以下詳説する。
【００３８】
まず、前後傾斜地Ｇに左右横断する方向に一定幅員、すなわち側溝ブロック１の横幅よりも大き目の側溝Ｄを掘削する。
【００３９】
従って、側溝Ｄは左右方向へ一定幅員に帯状に形成されることになり、この側溝Ｄの内底部に栗石層１０３を介して略コ字状のコンクリート製のアンカーブロック３０を略水平に設置する。
【００４０】
このように、アンカーブロック３０の下方には必要に応じて栗石層１０３を形成しておき、アンカーブロック３０の水平設置安定性をはかる。
【００４１】
アンカーブロック３０上に側溝ブロック１を載置するに際しては、調整螺杆１０を回転させて伸長しながら側溝ブロック１を一側方向に傾動させてアンカーブロック３０と側溝ブロック１の一側壁との間に一定の空間Ｓを形成することにより側溝ブロック１を傾斜状態に載置する。
【００４２】
調整螺杆１０の伸長調整によって側溝ブロック１の傾斜角度が調整される。
【００４３】
すなわち、現場において調整螺杆１０の調整操作を行うことにより、傾斜地Ｇに敷設された舗装面Ｈと側溝ブロック１の上面にあるグレーチングｇとを面一状態に設定することができる。
【００４４】
かかる状態で、アンカーブロック３０と傾斜した側溝ブロック１との間の空間Ｓにコンクリートセメント３３の投入打込みを行う。その後、側溝Ｄと側溝ブロック１との間に土砂等ｄを埋入する。
【００４５】
打込んだコンクリート３３中には、昇降調整手段４としての略Ｌ字状のブラケット７と調整螺杆１０が埋設固定された状態となる。
【００４６】
以上のように本実施形態に係る傾斜地横断用の側溝ブロック１は構成されており、アンカーブロック３０上に載置する側溝ブロック１の一側壁３に昇降調整手段４を設け、略Ｌ字状のブラケット７に調整螺杆１０を螺合してアンカーブロック３０上で調整螺杆１０を上下昇降させて側溝ブロック１の一側壁３を一定高さ持上げ側溝ブロック１の姿勢を傾斜状態とし、地上の傾斜地Ｇと面一状態となるように構成したので、現場での側溝ブロック１の設置作業時に調整螺杆１０の簡単な操作により側溝ブロック１の傾斜調整が行えることになり作業効率を格段に向上することができると共に、単に調整螺杆１０をブラケット７を介して側溝ブロック１の一側壁３に設けるのみの簡単な構造であるため製造も容易であり価格的にも有利となる効果がある。
【００４７】
また、側溝ブロック１の一側壁３に雌ネジボス５をプレキャスト時に埋設するのみで、その後に略Ｌ字状のブラケット７を固定ネジ６で取付けることができるため、作業現場で昇降調整手段４の組み立てが可能となり、昇降調整手段４の強度も充分に保持することができる効果がある。
【００４８】
次に、他の実施形態に係る傾斜地横断用の側溝ブロック１´について図６、図７に示して説明する。なお、他の実施形態に係る傾斜地横断用の側溝ブロック１´は、上述した本実施形態に係る傾斜地横断用の側溝ブロック１のブラケット７のみが異なるものであるため、共通する部分については同一の符号を付すと共に、説明を適宜省略する。
【００４９】
図６に示すように略Ｌ字状のブラケット７´の垂直片１１に穿設した他の実施形態として挿通孔１２は縦長孔１７に形成することにより、固定ネジ６を介して略Ｌ字状のブラケット７´の一側壁３外壁に固定するに際し、縦長孔１７を介してブラケット７´の取付位置を上下変位させることができる。
【００５０】
従って、図７に示すように、ブラケット７´の取付位置を上下変位させることにより側溝ブロック１´を平坦地Ｋの側溝Ｄ´に埋設する通常の施工時にブラケット７´の水平片９を側溝ブロック１の外底面と同レベル、或はそれより少し下方に位置せしめて側溝ブロック１のスタビライザ機能を果し、側溝ブロック１の栗石上での水平安定性やアンカーブロック３０上での水平安定性を確保可能にすることができる。
【００５１】
また、現場での側溝ブロック１´の設置作業時に縦長孔１７を用いてブラケット７´の取付位置を簡単な操作により調整できるので、作業効率を格段に向上することができると共に、ブラケット７´自体が簡単な構造であるため製造も容易であり価格的にも有利となる効果がある。
【００５２】
以上、本考案の好ましい実施形態について説明したが、本考案は係る特定の実施形態に限定されるものではなく、実用新案登録請求の範囲に記載された本考案の要旨の範囲内において、種々の変形・変更が可能である。
【符号の説明】
【００５３】
Ｇ：傾斜地
１：傾斜地横断用の側溝ブロック
１´：傾斜地横断用の側溝ブロック（他の実施形態）
３：一側壁
４：昇降調整手段
５：雌ネジボス
６：固定ネジ
７：ブラケット
７´：ブラケット（他の実施形態）
９：水平片
１０：調整螺杆
１１：垂直片
１２：挿通孔
１７：縦長孔
３０：アンカーブロック
【図１】
0003192983.tif 000003
【図２】
0003192983.tif 000004
【図３】
0003192983.tif 000005
【図４】
0003192983.tif 000006
【図５】
0003192983.tif 000007
【図６】
0003192983.tif 000008
【図７】
0003192983.tif 000009
【図８】
0003192983.tif 000010